(57)【特許請求の範囲】
【請求項１】
互いに周波数間隔ｆｓあるいはその整数倍離れたＮｓ本の搬送波を、時間間隔Ｔs'(＝１／ｆｓ)をシンボル周期としてディジタル変調して情報符号を伝送する直交周波数分割多重変調信号伝送方法において、ベースバンドで互いに直交する上記Ｎｓ本の搬送波の内、搬送波周波数が１シンボル期間、伝送する上記情報符号に応じた所定の直流レベルになる搬送波を、受信装置で各シンボルの同期を再生するのに用いるシンボル同期信号あるいは搬送波周波数を再生するのに用いる搬送波再生用同期信号を伝送する搬送波として用いることを特徴とする直交周波数分割多重変調信号の伝送方法。
【発明の詳細な説明】
【０００１】
【発明の属する技術分野】
本発明は、直交周波数分割多重変調（  Ｏｒｔｈｏｇｏｎａｌ  Ｆｒｅｑｕｅｎｃｙ  Ｄｉｖｉｓｉｏｎ  Ｍｕｌｔｉ−ｐｌｅｘｉｎｇ：ＯＦＤＭ）方式の伝送装置において、伝送した情報符号の符号誤り率を低減する伝送符号構成と、この符号構成を用いた伝送方式に関する。
【０００２】
【従来の技術】
現在、移動体や地上系のディジタル無線通信用の多重伝送方式として、マルチパス・フェージングや、ゴーストに強いという特徴を有する直交周波数分割多重伝送方式（以下、ＯＦＤＭ方式と記す）が注目されている。
このＯＦＤＭ方式は、図３に示すように、互いに所定の周波数間隔ｆｓ  をもって配置された数十本ないしは数百本からなる多数の搬送波を、それぞれシンボル周波数ｆｓ’（＝１／Ｔｓ’）でディジタル変調した信号、すなわち、ＯＦＤＭ信号（直交周波数分割多重変調信号）を用いて情報符号を伝送する方式である。
ここで、時間間隔Ｔｓ’は、ディジタル信号のシンボル周期のことである。
そして、このＯＦＤＭ方式における各搬送波のディジタル変調方式としては、ＱＰＳＫ方式（４相位相偏移変調方式）や、１６ＱＡＭ方式（１６値直交振幅変調方式）などが検討されている。
【０００３】
各搬送波をＱＰＳＫ方式でディジタル変調する場合の従来技術によるＯＦＤＭ伝送装置のブロック回路構成を図４に示す。  ここで、図４の上側が送信装置、下側が受信装置側を表す。
送信装置では、伝送する情報符号をＱＰＳＫ変調回路１でＱＰＳＫ方式の複素ベクトル信号（以下、ＱＰＳＫ信号と記す）に変調する。
変調して得たＱＰＳＫ信号は、分配回路２で各搬送波に分配された後、ＩＦＦＴ回路３で逆離散フーリエ変換（ＩＦＦＴ）される。
この変換処理によりＱＰＳＫ信号は、シンボル周期Ｔｓ’で、互いに周波数間隔ｆｓ  離れ、かつ互いに直交するＮｓ  本の搬送波から成る直交周波数分割多重変調方式で多重化された、ベースバンドのＯＦＤＭ信号に変換される。
そして、該ＯＦＤＭ信号は、ミキサ４に供給され、高周波の送信側局部発振器５で発生した周波数ｆｒ  の送信側局発信号により、例えば数百ＭＨｚ帯、或いは数ＧＨｚ帯の高周波数信号に周波数変換され、電力増幅されて送信アンテナ６から送信される。
【０００４】
一方、受信装置では、受信アンテナ７により受信した受信信号を増幅した後、ミキサ８に入力する。  そして、当該受信信号は受信側局部発振器９で発生した周波数ｆｒ  の受信側局発信号により周波数変換され、多重化されたベースバンドのＯＦＤＭ信号が再生される。
このＯＦＤＭ信号は、更にＦＦＴ回路１０で離散フーリエ変換（ＦＦＴ）され、各搬送波のベースバンドの複素ベクトル信号Ｚ（ｎ）に分離される。ここで、ｎは分離された搬送波の番号を表す。
こうして分離された各搬送波の複素ベクトル信号Ｚ（ｎ）は、結合回路１１にて送信側での分配回路２と逆の手順により、元の時間順序に並べ替えられ、時間的に連続したＱＰＳＫ信号に戻され、ＱＰＳＫ復調回路１２で復調され、情報符号として出力される。
【０００５】
【発明が解決しようとする課題】
ところで、ベースバンドのＯＦＤＭ信号には、搬送波周波数が、１シンボルの期間、伝送する情報符号に応じた所定の直流レベルになる搬送波（  以下、番号０の搬送波と記す  ）がある。
一方、受信装置のＦＦＴ回路１０では、前述のように、入力された信号をそのまま離散フーリエ変換する。  そのため、ＦＦＴ回路１０に入力する直流レベルの調整がずれていると、そのずれた直流レベルも信号成分として変換され、上記番号０の搬送波成分として混入する。
その結果、この番号０の搬送波に対するＱＰＳＫ方式や１６ＱＡＭ方式の復調をする際に大きな雑音成分となって現れ、復調した符号全体の符号誤り率を増大させることになる。
この問題は、ＦＦＴ回路１０に入力する信号の直流レベルを正確に０レベルに調整すれば回避できる。  しかし、実際の回路ではこの調整が困難な上、温度による回路の動作点の変化を押さえるための特別な回路が必要になり、回路規模の増加と伝送装置の高価格化を招く欠点がある。
本発明の目的は、回路規模を増加させることなく、ＯＦＤＭ信号の復調処理における符号誤り率を低減する伝送符号構成およびこの伝送符号構成を用いた伝送装置を提供することにある。
【０００６】
【課題を解決するための手段】
本発明は、上記目的を達成するため、互いに周波数間隔ｆｓあるいはその整数倍離れたＮｓ本の搬送波を、時間間隔Ｔs'(＝１／ｆｓ)をシンボル周期としてディジタル変調して情報符号を伝送する直交周波数分割多重変調信号伝送方法において、ベースバンドで互いに直交する上記Ｎｓ本の搬送波の内、搬送波周波数が１シンボル期間、伝送する上記情報符号に応じた所定の直流レベルになる搬送波を、受信装置で各シンボルの同期を再生するのに用いるシンボル同期信号あるいは搬送波周波数を再生するのに用いる搬送波再生用同期信号を伝送する搬送波として用いるようにした直交周波数分割多重変調信号の伝送方法である。
【０００７】
上記のように、本発明では、復調に際し、直流レベルの影響を受ける番号０の搬送波を、シンボル同期信号あるいは搬送波周波数を再生するのに用いる搬送波再生用同期信号を伝送する搬送波として用いている。
【０００８】
そのため、復調に際し、直流レベルのずれにより符号誤りを頻繁に起こす搬送波の符号が、伝送符号全体に対する符号誤り率の増加を起こすことがなくなり、伝送された符号の符号誤り率を低減することができる。
【０００９】
【発明の実施の形態】
以下、本発明の伝送装置の第１の実施例を図１に示し、詳しく説明する。
なお、ここでは、各搬送波に対するディジタル変調方式として、図４の従来技術と同じ、ＱＰＳＫ方式を用いる場合の回路構成を示している。
上述した様に、本発明の方法ではほとんど従来の回路をそのまま用いることができる。図１の回路は、ＱＰＳＫ変調回路で変調されたＱＰＳＫ信号を各搬送波に分配する分配回路２を、番号０の搬送波を除いて分配する分配回路２’に変えた点、また受信装置のＦＦＴ回路１０で離散フーリエ変換して得た各搬送波の信号を再び結合してＱＰＳＫ信号に戻す結合回路１１を、番号０の搬送波の信号を除いて結合する結合回路１１’に変えた点だけが、図４の従来の回路と異なる。伝送装置の動作は、番号０の搬送波で情報符号を伝送しない点を除き、従来の回路と同様に実行するので、説明を省略する。
【００１０】
ＯＦＤＭ方式で多重化される搬送波の本数Ｎｓ  は、通常、数百本から数千本に設定する。
例えば、搬送波の本数を１０００本に設定した場合、番号０の搬送波の符号の内の１０％が符号誤りを起こすとすると、他の搬送波の符号が誤りを起こさなくても、伝送符号全体としての符号誤り率は、１／１０４になる。
そのため、受信状態が良好でほとんど雑音が無い状態でも、誤り訂正符号能力が高く、符号長が長い誤り訂正符号を用いる必要が生じ、かえって伝送レートを下げる結果になる。
【００１１】
これに対し本実施例では、符号誤り率の高い番号０の搬送波を用いないため、伝送された符号全体の符号誤り率は、受信状態で決まる本来の符号誤り率の伝送符号を得ることができる。
なお、本実施例の符号構成では、１０００本の搬送波の内の番号０の搬送波が情報符号伝送に使用できなくなるため、伝送装置の伝送レートがやや低下する。しかし、その低減量は、わずか１／１０００にしか過ぎない。しかも、回路規模は従来とほとんど変わらず、従って伝送装置の価格の増大も無い。
このように、本実施例による伝送装置では、直流レベルのずれの影響を受ける番号０の搬送波を、情報符号の伝送に使用していないため、直流レベルのずれによって符号誤りを頻繁に起こす搬送波の符号が、伝送符号全体に対する符号誤り率の増加を起こすことがなくなる。
従って、伝送された符号の符号誤り率を低減することができ、また、この効果を得るために回路規模が増大することもなく、伝送装置を低価格に押さえることができる。
【００１２】
次に、本発明の第２の実施例を図２に示し、図１と異なる部分の動作について説明する。
本実施例では、送信装置にＱＰＳＫ変調回路１とは別に、雑音に強いＢＰＳＫ方式の変調を実行するＢＰＳＫ変調回路１３を設ける。そして、番号０の搬送波を変調する際は、ＢＰＳＫ変調回路１３で対応する情報符号を変調し、分配回路２”によって番号０の搬送波に割り当てる。
【００１３】
一方、受信装置には、ＱＰＳＫ復調回路１２とは別に、ＢＰＳＫ復調回路１４を設ける。さらに、ＦＦＴ回路１０で離散フーリエ変換して得た各搬送波の信号の内、番号０の搬送波の信号を除く搬送波の信号を、送信側での分配回路２”と逆の手順により、元の時間順序に並べ替え、時間的に連続したＱＰＳＫ信号に戻し、番号０の搬送波の信号を、ＢＰＳＫ信号に戻す結合回路１１”を設ける。
そして、これらＦＦＴ回路１０、結合回路１１”により、ＱＰＳＫ信号、ＢＰＳＫ信号に戻された信号は、それぞれＱＰＳＫ復調回路１２、ＢＰＳＫ復調回路１４で情報符号に復調されて出力される。
本実施例は、直流レベルのずれの影響を受けて符号誤りを起こし易い番号０の搬送波を、雑音に強いＢＰＳＫ方式で変調しているため、番号０の搬送波の符号の符号誤り率が低下し、伝送された符号全体の符号誤り率を低減することができる。なお、本実施例では新たな回路が必要になるため回路規模がやや増大する。しかし、番号０の搬送波でも情報符号を伝送しているため、伝送レートの減少量を減らすことができる。
【００１４】
また、上記の第１の実施例では、番号０の搬送波を全く使用しないものとして説明した。  しかし、ＯＦＤＭ方式の伝送装置では、通常、受信信号を復調するのに必要な伝送信号のシンボル位相と搬送波周波数を再生するための同期符号を伝送信号の所定シンボル毎に挿入している。
そこで、この同期符号を、情報符号を伝送しない番号０の搬送波を用いて伝送するようにしても良い。この様にすると、もともと同期符号の伝送に用いていたシンボルで情報符号を伝送できるようになるため、伝送レートの低減量を減らすことができる。
【００１５】
【発明の効果】
以上説明した如く、本発明による伝送符号構成では、直流レベルのずれの影響を受ける番号０の搬送波を、雑音に強いＢＰＳＫ方式で変調して情報符号を伝送するか、あるいは、この番号０の搬送波では情報符号を伝送しない符号構成としているため、直流レベルのずれによって符号誤りを頻繁に起こす搬送波の符号が、伝送符号全体に対する符号誤り率の増加を起こすことがなくなる。  従って、回路規模を増大させることなく、伝送された符号の符号誤り率を低減することができる。
【図面の簡単な説明】
【図１】本発明のＯＦＤＭ方式の伝送装置の第１の実施例の構成を示すブロック図。
【図２】本発明のＯＦＤＭ方式の伝送装置の第２の実施例の構成を示すブロック図。
【図３】一般的なＯＦＤＭ方式の搬送波の周波数配置を示す図。
【図４】従来のＯＦＤＭ方式の伝送装置の構成を示すブロック図。
【符号の説明】
１：ＱＰＳＫ変調回路、２，２’，２”：分配回路、３：ＩＦＦＴ回路、４，８：ミキサ、５：送信側局部発振器、６：送信アンテナ、７：受信アンテナ、９：受信側局部発振器、１０：ＦＦＴ回路、１１，１１’，１１”結合回路、１２：ＱＰＳＫ復調回路、１３：ＢＰＳＫ変調回路、１４：ＢＰＳＫ復調回路。
【図１】
0003565537.tif 000002
【図２】
0003565537.tif 000003
【図３】
0003565537.tif 000004
【図４】
0003565537.tif 000005